(57)【要約】      （修正有）【課題】排水口にて捕捉された髪の毛が上下の櫛歯に複雑に絡まり合っている状態においても、容易に髪の毛捕捉状態から髪の毛除去状態に切り替え可能なヘアキャッチャーを提供する。【解決手段】複数の櫛歯３の間に形成され一端が開口した複数のスリット４を有する第１の櫛状部材２と、複数の櫛歯６の間に形成され一端が開口した複数のスリット７を有する第２の櫛状部材５と、第１の櫛状部材２と第２の櫛状部材５とが上下に重合し、各々の櫛歯３，６が平面視で格子状に交差した髪の毛捕捉状態と、第１の櫛状部材２と第２の櫛状部材５とが上下に重合せず、各々の櫛歯３，６が平面視で交差しない髪の毛除去状態と、に切り替え可能な切替手段を備え、切替手段は、第１の櫛状部材２を櫛歯３の延在方向にスライドさせて、髪の毛捕捉状態と髪の毛除去状態とを切り替える。【選択図】図１
2012202017.tif 000002
【特許請求の範囲】
【請求項１】
排水中に含まれる髪の毛を捕捉可能なヘアキャッチャーであって、
複数の櫛歯と、前記櫛歯の間に形成され一端が開口した複数のスリットと、を有する第１の櫛状部材と、
複数の櫛歯と、前記櫛歯の間に形成され一端が開口した複数のスリットと、を有する第２の櫛状部材と、
前記第１の櫛状部材と前記第２の櫛状部材とが上下に重合し、各々の櫛歯が平面視で格子状に交差した髪の毛捕捉状態と、前記第１の櫛状部材と前記第２の櫛状部材とが上下に重合せず、各々の櫛歯が平面視で交差しない髪の毛除去状態と、に切り替え可能な切替手段と、を備え、
前記切替手段は、前記第１の櫛状部材を当該櫛歯の延在方向にスライドさせて、髪の毛捕捉状態と髪の毛除去状態とを切り替えるものである
ことを特徴とするヘアキャッチャー。
【請求項２】
前記第２の櫛状部材には、前記第１の櫛状部材を当該櫛歯の延在方向にスライドさせるガイドとなるガイド部が形成されていることを特徴とする請求項１記載のヘアキャッチャー。
【請求項３】
前記ガイド部は、前記第２の櫛状部材に形成されたスリットの閉口側の端部に設けられていることを特徴とする請求項２記載のヘアキャッチャー。
【請求項４】
前記ガイド部は、前記第２の櫛状部材のスリットが形成されていない部位に設けられていることを特徴とする請求項２記載のヘアキャッチャー。
【請求項５】
前記第１の櫛状部材および前記第２の櫛状部材には、各々に取っ手部が形成されており、前記各々の取っ手部は前記第１の櫛状部材のスライド方向に延在形成されていることを特徴とする請求項１記載のヘアキャッチャー。
【請求項６】
前記第１の櫛状部材および前記第２の櫛状部材には、前記髪の毛捕捉状態で保持する嵌合部が設けられており、前記嵌合部は前記第１の櫛状部材のスライド方向と直交する方向に嵌合するものであることを特徴とする請求項１記載のヘアキャッチャー。
【発明の詳細な説明】
【技術分野】
【０００１】
本発明は、排水中に含まれる髪の毛を捕捉可能なヘアキャッチャーに関するものである。
【背景技術】
【０００２】
従来、浴室などの排水口には、排水中に含まれる髪の毛などのゴミを捕捉するためにヘアキャッチャーが着脱自在に配設されている。このヘアキャッチャーは、通常、桟が平面視で格子状に構成されており、排水中に含まれる髪の毛などのゴミは格子状の桟で捕捉し、排水は桟の間に形成された貫通孔から下方の排水トラップなどに排水されるようになっている。
【０００３】
特許文献１には、捕捉された髪の毛の除去作業性を向上させたヘアキャッチャーが開示されている。具体的には、上下に貫通する櫛間スリットを備えるようにそれぞれ一端が自由端となる櫛歯を設けた一対の排水口閉塞部材を、上下に積層すると共にその偏心位置で枢支連結させて各々平面内で回動可能にし、平面視で各櫛歯が交差するように一対の排水口閉塞部材が重合された排水口閉塞状態と、平面視で各櫛歯が交差しないように一対の排水口閉塞部材が展開されたゴミ除去状態とを選択可能にしたものである。
【先行技術文献】
【特許文献】
【０００４】
【特許文献１】特開２００９−３０３２８号公報
【発明の概要】
【発明が解決しようとする課題】
【０００５】
しかしながら、特許文献１に開示されたヘアキャッチャーは、一対の排水口閉塞部材を平面内で回動させてゴミ除去状態に切り替えるものであるため、排水口閉塞状態において捕捉された髪の毛が上下の櫛歯に複雑に絡まり合っている状態においては、絡まっている髪の毛が邪魔をし、排水口閉塞部材を分離させるのに大きな力を必要とし、好ましくなかった。
【０００６】
本発明は、上述した課題に鑑み、髪の毛捕捉状態から髪の毛除去状態に切り替えることで、捕捉された髪の毛の除去作業性を向上させたヘアキャッチャーにおいて、捕捉された髪の毛が上下の櫛歯に複雑に絡まり合っている状態においても、大きな力を必要とせず、容易に髪の毛捕捉状態から髪の毛除去状態に切り替えることが可能なヘアキャッチャーを提供することを目的とする。
【課題を解決するための手段】
【０００７】
上記課題を解決するために本発明に係るヘアキャッチャーは、排水中に含まれる髪の毛を捕捉可能なヘアキャッチャーであって、複数の櫛歯と、前記櫛歯の間に形成され一端が開口した複数のスリットと、を有する第１の櫛状部材と、複数の櫛歯と、前記櫛歯の間に形成され一端が開口した複数のスリットと、を有する第２の櫛状部材と、前記第１の櫛状部材と前記第２の櫛状部材とが上下に重合し、各々の櫛歯が平面視で格子状に交差した髪の毛捕捉状態と、前記第１の櫛状部材と前記第２の櫛状部材とが上下に重合せず、各々の櫛歯が平面視で交差しない髪の毛除去状態と、に切り替え可能な切替手段と、を備え、前記切替手段は、前記第１の櫛状部材を当該櫛歯の延在方向にスライドさせて、髪の毛捕捉状態と髪の毛除去状態とを切り替えるものであることを特徴とする。
【０００８】
本発明によれば、排水に含まれる髪の毛などのゴミを捕捉するためには、ヘアキャッチャーを髪の毛捕捉状態にして格子状に交差する櫛歯にて行わせることができるものであり、交差する櫛歯に絡み合うように捕捉された髪の毛を除去するには、ヘアキャッチャーを髪の毛除去状態にして櫛歯の交差状態を解除することで櫛歯に絡まる髪の毛をスリットの開口側から容易に引き出すことが可能となる。また、本発明によれば、第１の櫛状部材を当該櫛歯の延在方向にスライドさせて、髪の毛捕捉状態と髪の毛除去状態とを切り替える切替手段を備えているため、捕捉された髪の毛が上下の櫛歯に複雑に絡まり合っている状態においても、髪の毛が邪魔になることなく、大きな力を必要とせずに容易に髪の毛捕捉状態から髪の毛除去状態に切り替えることができる。
【０００９】
また、本発明に係るヘアキャッチャーでは、前記第２の櫛状部材には、前記第１の櫛状部材を当該櫛歯の延在方向にスライドさせるガイドとなるガイド部が形成されていることが好ましい。この好ましい態様によれば、前記第１の櫛状部材のスライド方向を第２の櫛状部材によって案内できるため、より容易に髪の毛捕捉状態から髪の毛除去状態に切り替えることができる。
【００１０】
また、本発明に係るヘアキャッチャーでは、前記ガイド部は、前記第２の櫛状部材に形成されたスリットの閉口側の端部に設けられていることが好ましい。この好ましい態様によれば、第２の櫛状部材に絡まった髪の毛を除去する際に、ガイド部が邪魔になって、スリットの開口側から容易に引き出す作業が困難になることを防止できる。
【００１１】
また、本発明に係るヘアキャッチャーでは、前記ガイド部は、前記第２の櫛状部材のスリットが形成されていない部位に設けられていることが好ましい。この好ましい態様によれば、第２の櫛状部材に絡まった髪の毛を除去する際に、ガイド部が邪魔になることを確実に防止でき、スリットの開口側から容易に引き出すことが可能となる。
【００１２】
また、本発明に係るヘアキャッチャーでは、前記第１の櫛状部材および前記第２の櫛状部材には、各々に取っ手部が形成されており、前記取っ手部は前記第１の櫛状部材のスライド方向に延在形成されていることが好ましい。この好ましい態様によれば、第１の櫛状部材をスライドさせる際に、第１の櫛状部材と第２の櫛状部材とが擦れ合って抵抗となることを防止できるため、より容易に髪の毛捕捉状態から髪の毛除去状態に切り替えることができる。
【００１３】
また、本発明に係るヘアキャッチャーでは、前記第１の櫛状部材および前記第２の櫛状部材には、前記髪の毛捕捉状態で保持する嵌合部が設けられており、前記嵌合部は前記第１の櫛状部材のスライド方向と直交する方向に嵌合するものであることが好ましい。この好ましい態様によれば、ヘアキャッチャーを着脱する際に、誤って前記第１の櫛状部材と前記第２の櫛状部材との嵌合が外れることを防止できる。
【発明の効果】
【００１４】
本発明によれば、髪の毛捕捉状態から髪の毛除去状態に切り替えることで、捕捉された髪の毛の除去作業性を向上させたヘアキャッチャーにおいて、捕捉された髪の毛が上下の櫛歯に複雑に絡まり合っている状態においても、大きな力を必要とせず、容易に髪の毛捕捉状態から髪の毛除去状態に切り替えることが可能なヘアキャッチャーを提供することができる。
【図面の簡単な説明】
【００１５】
【図１】本発明の実施の形態の例のヘアキャッチャーであり、（ａ）は髪の毛補足状態の斜視図であり、（ｂ）は髪の毛除去状態の斜視図である。
【発明を実施するための形態】
【００１６】
本例のヘアーキャッチャー１は、複数の櫛歯３と、前記櫛歯３の間に形成され一端が開口した複数のスリット４と、を有する第１の櫛状部材２と、複数の櫛歯６と、前記櫛歯６の間に形成され一端が開口した複数のスリット７と、を有する第２の櫛状部材５が、上下に重合するとともに、前記第２の櫛状部材５には、前記第１の櫛状部材２を当該櫛歯６の延在方向にスライドさせるガイドとなるガイド部９が形成されており、第１の櫛状部材２を当該櫛歯の延在方向にスライド可能にして構成されている。第１の櫛状部材２を当該櫛歯の延在方向にスライドさせることで、図１（ａ）のように平面視で各櫛歯が交差されるように重合された髪の毛捕捉状態と、図１（ｂ）のように平面視で各櫛歯が交差しないように分離された髪の毛除去状態とが選択可能にされている。
【００１７】
詳しくは、ヘアーキャッチャー１を構成する上層の第１の櫛状部材２と下層の第２の櫛状部材５とはそれぞれ樹脂の円形板材で構成されており、それぞれ円形板材の一端から同方向に複数の切り込みを入れることで一端が自由端となる複数の櫛歯を並設させている。なお、上記切り込みはスリット４、７を構成する。第２の櫛状部材５の側端域には、もう一方の第１の櫛状部材２の櫛歯を差し込むガイドとなるように、凹凸断面形状を備えているのであり、これにより、各櫛歯部材２、５に絡まっている髪の毛等のごみに阻害されることなく、各櫛状部材を分離自在な構成となっている。
【００１８】
このヘアーキャッチャー１は、図１（ａ）のように平面視で各櫛歯３、６が交差するように一対の櫛状部材が重合された髪の毛捕捉状態にして、排水口を閉塞するように配置される。詳しくは、髪の毛捕捉状態にあるヘアーキャッチャー１は一対の櫛状部材２、５がその外縁同士を一致させるようにして完全に重合された平面視で円形状態にあり、これを円孔状の排水口にぴったりと嵌めるように配置する。なおこのとき、交差した一対の櫛状部材２、５の各櫛歯３、６の間にスリット４、７が上下に連通する排水孔部８が多数形成される。したがって、排水口に流入した排水は漏れなくヘアーキャッチャー１の上面を伝って排水孔部８から流下されるのであるが、このとき該排水に含まれる抜け毛などのゴミは各排水孔部８を囲繞する交差された櫛歯３、６に絡みつくようにして効率よく捕捉されるのである。
【００１９】
櫛歯３、６に絡みつくようにして捕捉されたゴミをヘアーキャッチャー１から除去するには、排水口からヘアーキャッチャー１を取外し、各櫛歯３、６が交差しないように一対の櫛状部材２、５が分離された髪の毛除去状態にして行う。第２の櫛状部材５の側端域には、もう一方の第１の櫛状部材２の櫛歯を差し込むガイドとなるように、凹凸断面形状を備えているのであり、ヘアーキャッチャー１を髪の毛捕捉状態から髪の毛除去状態に変形させるには、第１の櫛状部材２を共にその櫛歯の延在方向にスライドさせればよく、簡易な作業である。なお、ヘアーキャッチャー１は叙述のように一対の櫛状部材２、５が上下に積層すると共にガイドによって平面方向にスライド可能にされたものであり、排水口から上方に向けて取り外した際にも自重にて下層の櫛状部材３が垂れ下がるようなことはなくて扱い易いものである。
【００２０】
次に、髪の毛が抵抗とならずにヘアキャッチャーを分離できる作用について説明する。
【００２１】
髪の毛がヘアキャッチャー１の櫛歯部材２、５にまたがって絡まっている場合、髪の毛補足状態から髪の毛除去状態に変形させるには、櫛歯部材２と櫛歯部材５を回動、もしくはスライドさせる必要があるが、回動させる場合、櫛歯部材がヘアキャッチャーに絡まっている髪の毛にぶつかる方向に力が加わりやすく、抵抗を受けやすい。そのため、髪の毛除去状態への変更が難しい。また櫛歯部材の延在方向以外にスライドする場合にも、ヘアキャッチャーに絡まっている髪の毛に力が加わるので、抵抗を受けやすい。そのため、髪の毛除去状態への変更が難しい。
【００２２】
しかし、本例のヘアキャッチャーでは、第２の櫛状部材５の側端域には、もう第１の櫛状部材２の櫛歯を差し込むガイドとなるように、凹凸断面形状を備えているのであり、回動・もしくは第１の櫛歯部材２の櫛歯の延在方向以外の方向にスライドさせることなく、櫛歯部材の延在方向にスライドさせて櫛歯部材同士を分離させることで、髪の毛の無い方向に第１の櫛歯部材２を動かすことができるので、絡まった髪の毛の抵抗を最小に抑えながら、櫛歯部材２、５を分離することができる。そのため、櫛歯部材２、５をスライドさせて容易に髪の毛除去状態にすることができる。
【００２３】
尚、水の表面張力等で櫛歯部材に髪の毛がくっついている場合でも、櫛歯部材２、５をスライドさせれば、スライド過程で、絡まった髪の毛が櫛歯部材５の櫛歯６から抵抗を受け、櫛歯部材５の櫛歯６に留まる。そのため、櫛歯部材５をスライドさせて容易に髪の毛除去状態にすることができる。
【００２４】
髪の毛除去状態にあるヘアーキャッチャー１は、一対の櫛状部材２、５が完全に分離された状態となる。
【００２５】
ここで、ヘアーキャッチャー１を髪の毛捕捉状態から髪の毛除去状態に変形させると、一対の櫛状部材２、５の各櫛歯３、６にのみ捕捉されたゴミはそのままの捕捉状態となるが、一対の櫛状部材２、５の各櫛歯３、６にまたがって捕捉されたゴミはいずれかの櫛状部材の櫛歯３、６に捕捉された状態となる。すなわち、髪の毛除去状態では、髪の毛捕捉状態で捕捉されたゴミがいずれかの櫛状部材２、５の櫛歯３、６に分けて捕捉された状態となる。
【００２６】
そして、この髪の毛除去状態では、各櫛状部材２、５の各櫛歯３、６の自由端が解放された状態となっている、つまり各櫛歯３、６は開けた空間に位置するようになるので、各櫛歯３、６に捕捉されているゴミを各櫛歯３、６の自由端側に引っ張ることで、各櫛歯３、６に絡みついたゴミも各櫛歯３、６の自由端からスムーズに抜くことができ、捕捉したゴミをヘアーキャッチャー１から容易に剥がして除去することができるのである。
【００２７】
上記のように本例のヘアーキャッチャー１にあって、排水に含まれる毛髪などのゴミを捕捉するには、ヘアーキャッチャー１を髪の毛捕捉状態にしてこのときの交差する櫛歯３、６によって効率よく行わせることができるのであり、また、交差する各櫛歯３、６に絡みつくように捕捉されたゴミを除去するには、ヘアーキャッチャー１を髪の毛除去状態にして各櫛歯３、６の交差状態を解除し、さらに櫛歯３、６に絡まるゴミをそれぞれ櫛歯３、６の自由端側に引き出すことで容易に行うことができるのである。
【００２８】
そして、髪の毛補足状態から髪の毛除去状態に変形する時には、櫛歯部材Ｃの櫛歯の延在方向にスライドさせることによって、容易に変形することができる。
【００２９】
また、本例のヘアキャッチャー１では、凹凸断面形状をしているガイド部９は、第２の櫛状部材５のスリットの閉口側の端部に設けられている。このことにより、髪の毛除去状態において、髪の毛を櫛歯から引っ張って取り除く際には、凹凸断面形状を乗り越える髪の毛の量が少なくできるため、ごみを容易に取り除くことができる。
【００３０】
尚、図示しないが、凹凸断面形状をしているガイド部９は、第２の櫛状部材５のスリットが形成されていない部位に設けても良い。このことにより、髪の毛除去状態において、凹凸断面形状部分に髪の毛が絡まることなく、ごみを容易に取り除くことができる。
【００３１】
また、本例のヘアキャッチャー１では、第１の櫛状部材２および前記第２の櫛状部材５には、各々に取っ手部１１が対向位置に形成されており、前記各々の取っ手部は前記第１の櫛状部材２のスライド方向に延在形成されている。これによると、髪の毛補足状態から髪の毛除去状態に変更する際に、櫛状部材２、５の取っ手部１１を持つことで、容易に櫛歯３の延在方向にスライドすることができる。
【００３２】
また、本例のヘアキャッチャー１では、第１の櫛状部材２および前記第２の櫛状部材５には、前記髪の毛捕捉状態で保持する嵌合部１０が設けられており、前記嵌合部は前記第１の櫛状部材２のスライド方向と直交する方向に嵌合するものであり、これによると、ヘアキャッチャー１が意図せずに髪の毛補足状態から髪の毛除去状態に変わることを防げる。
【符号の説明】
【００３３】
１…ヘアーキャッチャー
２…第１の櫛状部材
３…櫛歯
４…スリット
５…第２の櫛状部材
６…櫛歯
７…スリット
８…排水孔部
９…ガイド部
１０…嵌合部
１１…取っ手部
【図１】
2012202017.tif 000003